(57)【要約】【課題】浮力を変動させることなくトップ部の長さを伸縮変位させることができる釣り用浮きを提供する。【解決手段】上部側にトップ部１２が、中間部に胴部１４が、下端部に道糸との係合環部１６が、一体的に組み付けられた縦長棒状の浮きからなり、トップ部１２を胴部１４から伸縮自在に延長可能とする伸縮機構１８と、伸長時及び縮長時のいずれの際にも全体の浮力を変動させることなくトップ部を伸縮変位させる定浮力維持構造２０と、を備えたことを特徴とする釣り用浮き１０から構成される。【選択図】図１
0003132488.tif 000002
【実用新案登録請求の範囲】
【請求項１】
上部側にトップ部が、中間部に胴部が、下端部に道糸との係合環部が、一体的に組み付けられた縦長棒状の浮きからなり、
トップ部を胴部から伸縮自在に延長可能とする伸縮機構と、
伸長時及び縮長時のいずれの際にも全体の浮力を変動させることなくトップ部を伸縮変位させる定浮力維持構造と、を備えたことを特徴とする釣り用浮き。
【請求項２】
トップ部はトップ本体に縦に連結されたロッド体を含み、トップ本体は常時胴部から突出してロッド体部分が胴部内に収納されるように縮長することを特徴とする請求項１記載の釣り用浮き。
【請求項３】
定浮力維持構造は、上下を開口し胴部内に縦に埋め込みされた小径の収納筒と、
下部側を収納筒内に配置させ該収納筒の上開口から上部に突出する部分にトップ本体を固定させて収納筒内で上下に移動する細径のロッド体と、
ロッド体の収納筒内に配置された部分であって、ロッド体の外周に固着され上下通気可能としつつロッド体の外周と収納筒の内壁との間を上下遮断するように設けられた詰め部材と、を備えたことを特徴とする請求項１または２記載の釣り用浮き。
【請求項４】
詰め部材は、ロッド体の外周と収納筒の内壁との間の断面ドーナツ状の縦長パイプ状空間を上下に分断するように同空間の中間位置においてロッド体に固着された拡大棒部からなる請求項３記載の釣り用浮き。
【請求項５】
拡大棒部はロッド体の上下移動時に収納筒内での芯出し機能を行うことを特徴とする請求項４記載の釣り用浮き。
【請求項６】
収納筒の下開口は弾性体からなる栓部材により閉鎖されており、
さらに、栓部材にはロッド体の縮長時にその下端部を半ロック状に保持する保持機構を備えていることを特徴とする請求項３ないし５のいずれかに記載の釣り用浮き。
【請求項７】
収納筒の上開口にはロッド体の抜け止めアダプタが取り付けられており、
抜け止めアダプタにはロッド体を伸長させた際に同ロッド体の伸長位置で詰め部材と半ロック状に嵌合する嵌合部が設けられていることを特徴とする請求項３ないし６のいずれかに記載の釣り用浮き。
【請求項８】
係合環部は、胴部の下端側から縦に伸びる細身取付杆に取り付けられており、
道糸が直接に通係されて浮きが縦方向に浮力支持された状態で縦長の通係環形状を呈するように形成されていることを特徴とする請求項１ないし７のいずれかに記載の釣り用浮き。
【請求項９】
上部側にトップ部が、中間部に胴部が、下端部に道糸との係合環部が、一体的に組み付けられた縦長棒状の浮きからなり、
係合環部は、胴部の下端側から縦に伸びる細身取付杆に取り付けられており、
道糸が直接に通係されて浮きが縦方向に浮力支持された状態で縦長の通係環形状を呈するように形成されていることを特徴とする釣り用浮き。
【考案の詳細な説明】
【技術分野】
【０００１】
本考案は、トップ部を伸縮変更できる釣り用浮きに関する。
【背景技術】
【０００２】
釣り用浮きは魚のあたりを目で判別するのに有効に利用されており、例えば、棒浮き、玉浮き（円錐浮き）等の種々の浮きが仕掛けに応じて選択される。それらのうち、棒浮きは浮力と錘のバランスにより水中で縦方向に立った状態で支持されトップ部を水上に出すものであり、あたりを確認しやすいことが知られている。例えば、釣り仕掛けを遠方に飛ばして設置する遠投釣り等の場合は、棒浮きのトップ部分が長い方が見やすいがその反面、強風時にはトップが長いと風の影響を受けて浮きがぶれやすく、魚のあたりが判別しにくくなる場合がある。また、浮きを道具箱内に収納する際にも、トップ部分が長いと浮き全長も長くなるので道具箱内に収納できず、持ち運び又は保管管理が煩雑になることがあった。
【０００３】
一方、例えば、特許文献１には浮き本体の長さを変更することにより浮力を調整できる釣用浮きが提案されている。特許文献１の釣用浮きでは、気密的に形成された浮き本体部分に伸縮自在な蛇腹部分を設けて、浮き本体の各部分が相対移動可能とするとともに、浮き本体の一部に着脱自在のピンで塞がれる空気の出入口が設けられている。浮力を調整する際には、出入口を塞ぐピンを外して出入口を開口させ、空気が出入移動できる状態で浮きの蛇腹部分を伸ばしたり縮めたりした後に、出入口をピンで塞いで内部を密閉することにより蛇腹部分で伸縮設定した浮き本体の長さを保持するものであった。
【特許文献１】実開昭６２−１７８８７５号公報
【考案の開示】
【考案が解決しようとする課題】
【０００４】
しかしながら、特許文献１の釣用浮きでは、浮きの長さを伸縮すると浮力が変更されるものであるから、例えば、浮力が変更され、特に浮力が大きくなることにより魚のあたりの感度が悪くなってしまったり、浮力の変更に応じていちいち錘を付け替えるといった煩雑な作業が必要となったり、釣果に影響を及ぼす場合があった。従って、釣りの状況によっては、浮きの浮力を変更することなくトップ部の長さのみを変更したいことも多い。また、特許文献１の釣り用浮きでは、浮き本体を伸縮操作する際に、出入口を塞ぐピンを着脱する必要があるので伸縮作業や部品の管理が煩雑であるとともに、ピンを紛失してしまうおそれもあった。
【０００５】
また、図７は、従来の棒浮き１００を示しており、図７に示すように、従来の棒浮き１００では、下端部の丸環１０１にスナップ付きサルカン１０２が接続され、該サルカン１０２の丸環部１０３に釣り糸１０４が通係されて連結されている。図のように、釣り糸との連結は丸環部１０３で構成されているが、浮き止め糸１０５の他にしもり玉１０６を取り付ける必要があり、取付け作業が煩雑となっていた。また、丸環部の孔が小さいので釣り糸自体の通りが悪く、特に丸環部分で釣り糸が折れ曲がることもあり、釣り仕掛けが着底又は所定の水深までスムーズに到達できなかったり、魚のあたりの感度が悪くなったりして釣果に影響していた。さらに、従来の棒浮き１００では、釣り糸と棒浮き１００との間には複数の可動部があるスナップ付きサルカン１０２が介在しているので、棒浮き１００がふらつきやすく、魚が掛かった際にふらふらと揺れながら沈んでしまうことから魚のあたりが伝達されにくい上、撒き餌によってくる周囲の魚をも逃がしてしまい、さらには、釣り糸が絡まりやすい等の問題があった。
【０００６】
本考案は、上記従来の課題に鑑みてなされたものであり、その一つの目的は、浮力を変動させることなくトップ部の長さを伸縮変位させることができる釣り用浮きを提供することにある。また、他の目的は、トップ部の伸縮変位を簡便に行える釣り用浮きを提供することにある。また、他の目的は、仕掛けが沈む際に釣り糸の落下をスムーズに行わせうるとともに、浮きのふらつきが生じにくい釣り用浮きを提供することにある。
【課題を解決するための手段】
【０００７】
上記課題を解決するために本考案は、上部側にトップ部１２が、中間部に胴部１４が、下端部に道糸との係合環部１６が、一体的に組み付けられた縦長棒状の浮きからなり、トップ部１２を胴部１４から伸縮自在に延長可能とする伸縮機構１８と、伸長時及び縮長時のいずれの際にも全体の浮力を変動させることなくトップ部を伸縮変位させる定浮力維持構造２０と、を備えたことを特徴とする釣り用浮き１０から構成される。
【０００８】
また、トップ部１２はトップ本体２６に縦に連結されたロッド体２８を含み、トップ本体２６は常時胴部１４から突出してロッド体２８部分が胴部１４内に収納されるように縮長することとしてもよい。トップ本体２６とロッド体２８とは、例えば径を異ならせたりして区別されるようにしてもよいが、一本のロッド部材の常時胴部からの突出部分をトップ本体とし、収納される部分をロッド体としてもよい。
【０００９】
また、定浮力維持構造２０は、上下を開口し胴部１４内に縦に埋め込みされた小径の収納筒２２と、下部側を収納筒２２内に配置させ該収納筒２２の上開口から上部に突出する部分にトップ本体２６を固定させて収納筒内で上下に移動する細径のロッド体２８と、ロッド体２８の収納筒２２内に配置された部分であって、ロッド体２８の外周に固着され上下通気可能としつつロッド体２８の外周と収納筒２２の内壁との間を上下遮断するように設けられた詰め部材３０と、を備えたこととしてもよい。
【００１０】
また、詰め部材３０は、ロッド体２８の外周と収納筒２２の内壁との間の断面ドーナツ状の縦長パイプ状空間を上下に分断するように同空間の中間位置においてロッド体２８に固着された拡大棒部３２からなることとしてもよい。拡大棒部３２の表面や一部分に凹凸や粗面、溝、孔等を形成して上下通気部を形成してもよい。
【００１１】
また、拡大棒部３２はロッド体２８の上下移動時に収納筒２２内での芯出し機能を行うこととしてもよい。
【００１２】
また、収納筒２２の下開口は弾性体からなる栓部材２４により閉鎖されており、さらに、栓部材２４にはロッド体２８の縮長時にその下端部を半ロック状に保持する保持機構３４を備えていることとしてもよい。
【００１３】
また、収納筒２２の上開口にはロッド体２８の抜け止めアダプタ３８が取り付けられており、抜け止めアダプタ３８にはロッド体２８を伸長させた際に同ロッド体２８の伸長位置で詰め部材３０と半ロック状に嵌合する嵌合部４０が設けられていることとしてもよい。
【００１４】
また、係合環部１６は、胴部１４の下端側から縦に伸びる細身取付杆４２に取り付けられており、道糸が直接に通係されて浮きが縦方向に浮力支持された状態で縦長の通係環形状を呈するように形成されていることとしてもよい。
【００１５】
また、上部側にトップ部１２が、中間部に胴部１４が、下端部に道糸との係合環部１６が、一体的に組み付けられた縦長棒状の浮きからなり、係合環部１６は、胴部１４の下端側から縦に伸びる細身取付杆４２に取り付けられており、道糸が直接に通係されて浮きが縦方向に浮力支持された状態で縦長の通係環形状を呈するように形成されていることとしてもよい。
【考案の効果】
【００１６】
本考案の釣り用浮きによれば、上部側にトップ部が、中間部に胴部が、下端部に道糸との係合環部が、一体的に組み付けられた縦長棒状の浮きからなり、トップ部を胴部から伸縮自在に延長可能とする伸縮機構と、伸長時及び縮長時のいずれの際にも全体の浮力を変動させることなくトップ部を伸縮変位させる定浮力維持構造と、を備えたことから、必要に応じてトップ部を伸縮変位させることができると同時に、トップ部の長さを伸縮変位させても浮力を変動させることがなく、常に一定の浮力設定で使用できる。よって、例えば、浮きの浮力変化による魚のあたりの感度の悪化や、錘の交換等の煩雑作業が生じない。
【００１７】
また、トップ部はトップ本体に縦に連結されたロッド体を含み、トップ本体は常時胴部から突出してロッド体部分が胴部内に収納されるように縮長する構成とすることにより、ロッド体の胴部からの突出部分の長さを変化させるように胴部から突出、収納させることで、トップ部を自在に伸縮機構を簡単な構成で具現できる。
【００１８】
また、定浮力維持構造は、上下を開口し胴部内に縦に埋め込みされた小径の収納筒と、下部側を収納筒内に配置させ該収納筒の上開口から上部に突出する部分にトップ本体を固定させて収納筒内で上下に移動する細径のロッド体と、ロッド体の収納筒内に配置された部分であって、ロッド体の外周に固着され上下通気可能としつつロッド体の外周と収納筒の内壁との間を上下遮断するように設けられた詰め部材と、を備えたことから、伸縮機構を維持しつつ定浮力維持構造を簡単な構成で具体的に実現でき、低コストで製造できる。また、他の部材の着脱等の煩雑な操作を必要とせずロッド体のスライド操作のみで簡便にトップ部の伸縮操作を行える。
【００１９】
また、詰め部材は、ロッド体の外周と収納筒の内壁との間の断面ドーナツ状の縦長パイプ状空間を上下に分断するように同空間の中間位置においてロッド体に固着された拡大棒部からなることから、ロッド体の外周と収納筒の内壁との間の縦長パイプ状空間の中間位置を詰める詰め部材を具体的に実現できる。
【００２０】
また、拡大棒部はロッド体の上下移動時に収納筒内での芯出し機能を行うこと構成とすることにより、ロッド体の胴部に対するブレを防止するとともに、上下移動を確実かつ円滑に行わせることができる。
【００２１】
また、収納筒の下開口は弾性体からなる栓部材により閉鎖されており、さらに、栓部材にはロッド体の縮長時にその下端部を半ロック状に保持する保持機構を備えたことから、ロッド体のスライド操作だけでトップ部を縮長した状態を保持できるとともに、収納筒の下端から胴部内側に水が入りこむのを防止して、収納筒の閉栓構造とトップ部の縮長保持機構とを兼用して軽量かつコンパクト化を実現できる。
【００２２】
また、収納筒の上開口にはロッド体の抜け止めアダプタが取り付けられており、抜け止めアダプタにはロッド体を伸長させた際に同ロッド体の伸長位置で詰め部材と半ロック状に嵌合する嵌合部が設けられている構成とすることにより、ロッド体の伸長状態での投てきや着水等で不意に縮長することないように保持でき、ロッド体の伸長状態で有効に利用できる。さらに、ロッド体の上下スライド方向への操作だけで、伸長位置での半ロック状の嵌合状態とそれを解除してスライド移動可能な状態とを簡便かつ短時間で変更でき、操作性がよい。
【００２３】
また、係合環部は、胴部の下端側から縦に伸びる細身取付杆に取り付けられており、道糸が直接に通係されて浮きが縦方向に浮力支持された状態で縦長の通係環形状を呈するように形成されていることから、簡単な構造で、仕掛けが沈む際に道糸の落下をスムーズに行わせ、スピーディに仕掛けを着底又は所定の水深に設定しうる。さらに、係合環部が道糸と直接に通係するので、浮きのふらつきが生じにくく、釣果向上を期待できる。
【００２４】
また、上部側にトップ部が、中間部に胴部が、下端部に道糸との係合環部が、一体的に組み付けられた縦長棒状の浮きからなり、係合環部は、胴部の下端側から縦に伸びる細身取付杆に取り付けられており、道糸が直接に通係されて浮きが縦方向に浮力支持された状態で縦長の通係環形状を呈するように形成されていることから、簡単な構造で、仕掛けが沈む際に道糸の落下をスムーズに行わせ、スピーディに仕掛けを着底又は所定の水深に設定しうる。さらに、係合環部が道糸と直接に通係するので、浮きのふらつきが生じにくく、釣果向上を期待できる。
【考案を実施するための最良の形態】
【００２５】
以下、添付図面を参照しつつ本考案の釣り用浮きの実施の形態について説明する。本考案の釣り用浮きは、一般に棒浮きと呼ばれる縦長棒状の浮きからなる。図１ないし図６は、本考案の釣り用浮きの一実施形態を示している。本実施形態において、釣り用浮き１０は、図１、図２、図３に示すように、上部側にトップ部１２が、中間部に胴部１４が、下端部に道糸との係合環部１６が、一体的に組み付けられた縦長棒状の浮きからなる。釣り用浮き１０は、トップ部１２を胴部１４から伸縮自在に延長可能とする伸縮機構１８と、定浮力維持構造２０と、を備えている。
【００２６】
図１に示すように、胴部１４は、釣り用浮き１０全体に浮力を生じさせる部位であり、例えば、桐材等の木材からなり、下寄り中間位置に向けて次第に膨出した縦長棒形状に形成されている。本実施形態では、胴部１４の下部側の内部には、ある程度重量のある錘（図示せず）が内蔵されており、仕掛けとともに投てきされた際には、浮き自身が持つ浮力と錘の重量とのバランスで自動的にトップ部１２を上方に、道糸との係合環部１６を下方として、縦方向に立って浮力支持される自立型の浮きとなっている。なお、胴部１４の材質は浮力支持力を生じるものであれば任意でよく、例えば、合成樹脂製の中空棒体でもよい。また、胴部内部に錘を内蔵せずに仕掛けに取り付けた錘によって浮きを縦方向に支持させる非自立型の形態でもよい。図２、図３にも示すように、胴部１４の内部には、胴部１４の径よりも小さな小径で上下を開口した収納筒２２が縦に埋め込まれている。収納筒２２は、例えば、水を通さないプラスチック等の合成樹脂製の中空円筒部材からなる。収納筒２２の上開口には抜け止めアダプタ３８が取り付けられて胴部１４と一体的に組み付けられている。収納筒２２の下開口は、例えば、合成ゴム等の弾性体からなる栓部材２４により閉鎖されており、上開口側から収納筒２２内に水が入っても胴部１４内で遮水できるようになっている。
【００２７】
トップ部１２は、胴部１４が縦方向に浮力支持された状態で水上から突出され釣り人が目視する目印部位であり、図２、図３に示すように、本実施形態では、直杆からなるトップ本体２６と、トップ本体２６の下方に縦に連結固定された直線状のロッド体２８と、を含む。トップ本体２６とロッド体２８は、例えば、プラスチック等の合成樹脂からなり一体的に形成されている。トップ本体２６は常時胴部１４から突出する一方で、ロッド体２８部分が収納筒２２内で上下移動可能に収納される。ロッド体２８の収納筒２２からの突出部分の長さが変化することにより、トップ部１２が伸長及び縮長することとなりトップ部が伸縮自在に延長可能な伸縮機構１８を構成している。本実施形態では、ロッド体２８は、収納筒２２の内径よりも十分小さな細径で設けられており、このロッド体２８の下部側を収納筒２２内に配置させるとともに、該収納筒２２の上開口から抜け止めアダプタ３８を貫通しつつ外部へ突出する部分にトップ本体２６が固定されている。トップ本体２６は、その径がロッド体２８の径よりも大きく拡大形成されて該ロッド体との接続部に段部を形成しており、ロッド体と軸心を合わせた状態でロッド体２８の上端側に固定されている。本実施形態では、図３に示すようにトップ本体２６の長さにより縮長時の長さが設定され、図２に示すようにトップ本体２６とロッド体２８の胴部１２からの突出長さの合計によりトップ部の伸長時の長さが設定される。
【００２８】
本実施形態では、ロッド体２８の収納筒２２内に配置された部分には、ロッド体２８の外周に固着された詰め部材３０が設けられている。詰め部材３０は、ロッド体２８の外周と収納筒２２の内壁との間に形成される断面ドーナツ状の縦長パイプ状空間を埋める詰め部材であり、ロッド体２８の外周と収納筒２２の内壁との間を上下遮断するとともに、遮断した上下間を通気可能としてロッド体３２が自在に上下移動可能となっている。詰め部材３０は、この縦長パイプ状空間を上下に分断するように同空間の中間位置においてロッド体２８に固着された拡大棒部３２からなる。拡大棒部３２は、例えば、プラスチック等の合成樹脂からなり、横断面形状が縦長パイプ状空間の断面ドーナツ状形状と略同じ形状となっているとともに、その表面は小さな凹凸の粗面（図上のドット模様部分）で形成されて上下通気可能な空隙を構成しつつ、収納筒２２の内壁に密着状に接摺し、ロッド体２８の上下スライド移動の際にある程度の摩擦抵抗を生じさせるようになっている。さらに拡大棒部３２はロッド体２８の上下移動時に収納筒２２内での芯出し機能を行っており、ロッド体２８の胴部１４に対するブレを防止し、スライド移動を確実かつ円滑に行わせることができる。拡大棒部３２の縦方向長さはロッド体２８が所定のストロークでの上下移動できるように収納筒２２の長さよりも短く設定され、下端側からロッド体２８の下端部２８ａを下方に突出させている。拡大棒部３２の上部側は、上端側に向けて次第に縮径されたテーパ外面を有するテーパ部３２ａを形成している。拡大棒部３２はロッド体２８の伸長時にはテーパ部３２ａを抜け止めアダプタ３８に係止され、ロッド体２８の胴部１４からの抜脱が防止される。
【００２９】
さらに、収納筒２２と、ロッド体２８と、拡大棒部３２と、は定浮力維持構造２０を構成している。すなわち、本実施形態では、定浮力維持構造２０は、胴部１４内に埋め込みされた収納筒２２と、収納筒２２内で上下するロッド体２８と、ロッド体の外周に固着された拡大棒部３２と、を含む。定浮力維持構造２０は、トップ部１２の伸長時及び縮長時のいずれの際にも全体の浮力を変動させることなくトップ部１２を伸縮変位させる定浮力維持手段である。よって、ロッド体２８の収納筒２２内の上下移動によりトップ部１２が伸縮変位されても浮力部分となる胴部の体積変化及び重量の変化が全く又はほとんどなく、浮き全体の浮力は略一定に維持される。
【００３０】
図２、図３に示すように、栓部材２４はロッド体２８が収納筒２２内を下に移動して収納された縮長時にその下端部を半ロック状に保持する保持機構３４を備えている。本実施形態では、保持機構３４は、弾性体からなる栓部材２４に、上端側すなわち収納筒２２内部側から該栓部材の内部中途位置まで穿孔された保持孔３６を有している。この保持孔３６内に下方にスライドしたロッド体２８の下端部２８ａが挿し込まれることにより弾性体からなる栓部材２４により該下端部２８ａを半ロック状に保持する。この保持機構３４により、トップ部を縮長した状態を保持できるとともに、収納筒２２の下開口から胴部内側に水が入りこむのを防止する。さらに、収納筒の閉栓構造とトップ部の縮長状態の保持機構とを兼用した軽量かつコンパクトな構成を実現している。また、半ロック状の保持状態とスライド移動可能な状態とを簡便に変更できる。
【００３１】
図２、図４にも示すように、収納筒２２の上開口にはロッド体２８の抜け止めアダプタ３８が取り付けられている。本実施形態では、抜け止めアダプタ３８は、上下を開口してロッド体を貫通させる中空筒体であって、かつ上端開口に向けて次第に縮径されたテーパ筒部材からなり、下開口側を胴部１４の上端側に一体的に固定されている。抜け止めアダプタ３８にはテーパ内面が設けられており、テーパ内面の中間部分が拡大棒部３２の上端部のテーパ外面と対応して形成され、ロッド体２８を伸長させた際に同ロッド体２８の伸長位置で拡大棒部３２のテーパ部３２ａと半ロック状に嵌合する嵌合部４０となっている。これにより、ロッド体２８の伸長状態を保持できる伸長状態保持機構を構成する。また、ロッド体２８の上下スライド方向への操作だけで、半ロック状の嵌合状態とそれを解除してスライド移動可能な状態とを簡便に変更できる。
【００３２】
図５、図６に示すように、本実施形態では、係合環部１６は、胴部１４の下端側から縦に伸びる細身取付杆３６の下端に取り付けられている。係合環部１６は、道糸が直接に通係されて浮きが縦方向に浮力支持された状態で縦長の通係環形状を呈するように形成されている。本実施形態では、係合環部１６は、例えば、横幅が道糸４４に取り付けられる浮き止め糸４６を通過させないような細幅で縦方向に長い長丸環または楕円環からなる。係合環部１６は縦長の通係環形状を呈することから、道糸が竿先側から仕掛け側へ折り曲がることなく斜めに通係されるので道糸が係合環部から受ける抵抗が少なく糸落ちがよい結果、スムーズに仕掛けを着底又は所定の水深に仕掛けることができる。また、シモリ玉が必要ないので、素早く仕掛けを作ることができる。また、釣り用浮き１０に一体化された通係環部１６が直接に道糸４４を通係させることにより、スナップ付きサルカンを介して接続したものに比べて可動部分が少なく浮きのふらつきが生じにくい。
【００３３】
図７に示すように、例えば、仕掛けを遠方に仕掛ける場合には、トップ部１４は長い方が見やすく有利であるから、トップ部を伸長する際には、トップ本体２６を手で引っ張ってロッド体２８を上にスライドし収納筒内から突出させて伸長させる。図５に示すように、ロッド体２８の伸長位置では、ロッド体に固着された拡大棒部３２のテーパ部３２ａが抜け止めアダプタ３８の嵌合部４０に半ロック状に嵌合されて伸長状態が保持され、投てき、着水、浮きの浮力支持状態の際等にも不意に縮長せずに利用できる。一方、例えば、風が強い場合や道具箱に収納する際には、トップ部１４は短い方が風の影響が少なく、またコンパクトな点で有利となる。トップ部を縮長する際には、ロッド体２８を収納筒２２内にある程度強く押し込むように操作すると、拡大棒部３２と抜け止めアダプタ３８との半ロック状の嵌合が解除される。そしてそのままロッド体２８を収納筒２２内に収納されてトップ本体のみが突出した状態となる。この際、保持機構３４により、トップ部を縮長した状態を保持できるとともに、収納筒２２の下開口から胴部内側に水が入りこむのを防止する。このようにして、簡便にトップ部を伸長、縮長及びそれぞれの状態を保持できるが、伸長時、縮長時のいずれの際にも、収納筒２２、ロッド体２８、拡大棒部３２等から構成される定浮力維持構造２０により浮力は略一定に維持される。よって、例えば、浮力変化による魚のあたりの感度が悪くなることがないとともに、錘の交換等の煩雑な設定も不要である。さらに、係合環部１６は縦長の通係環形状を呈することから、竿先側から仕掛け側へ通係される道糸４４が折り曲がることなく斜めに通係された状態となるので道糸が係合環部から受ける抵抗が少なく糸落ちがよい結果、スムーズに仕掛けを着底又は所定の水深に仕掛けることができる。また、釣り用浮き１０に一体となっている通係環部１６が直接に道糸４４を通係していることにより、スナップ付きサルカンを介して接続されたものと比較して可動部分が少なく浮きのふらつきが生じにくい。これらにより、良い釣果を期待できる。
【００３４】
以上説明した本考案の釣り用浮きは、上記した実施形態のみの構成に限定されるものではなく、実用新案登録請求の範囲に記載した本考案の本質を逸脱しない範囲において、任意の改変を行ってもよい。
【産業上の利用可能性】
【００３５】
本考案の釣り用浮きは、種々の魚釣り用仕掛けに利用される。
【図面の簡単な説明】
【００３６】
【図１】本発明の実施形態に係る釣り用浮きの伸長した状態の正面説明図である。
【図２】図１の釣り用浮きの胴部の要部を断面した一部拡大説明図である。
【図３】図２の状態から縮長した状態の説明図である。
【図４】図２の抜け止めアダプタ周辺の拡大図である。
【図５】係合環部の拡大説明図である。
【図６】図１の釣り用浮きの使用状態の説明図である。
【図７】従来の釣り浮きの説明図である。
【符号の説明】
【００３７】
１０    釣り用浮き
１２    トップ部
１４    胴部
１６    係合環部
１８    伸縮機構
２０    定浮力支持機構
２２    収納筒
２４    栓部材
２６    トップ本体
２８    ロッド体
３０    詰め部材
３２    拡大棒部
３４    保持機構
３８    抜け止めアダプタ
４０    嵌合部
４２    細身取付環
【図１】
0003132488.tif 000003
【図２】
0003132488.tif 000004
【図３】
0003132488.tif 000005
【図４】
0003132488.tif 000006
【図５】
0003132488.tif 000007
【図６】
0003132488.tif 000008
【図７】
0003132488.tif 000009
【手続補正書】
【提出日】平成19年4月6日(2007.4.6)
【手続補正１】
【補正対象書類名】実用新案登録請求の範囲
【補正対象項目名】全文
【補正方法】変更
【補正の内容】
【実用新案登録請求の範囲】
【請求項１】
上部側に細径のロッド体を含むトップ部が、中間部に胴部が、下端部に道糸との係合環部が、一体的に組み付けられた縦長棒状の浮きからなり、
胴部は細径のロッド体の下端側を内部に収容した状態でトップ部を縦向き上下動可能に支持しつつ任意の伸縮位置でトップ部を係止させる縦長の収納筒を有し、
ロッド体を介してトップ部全体を胴部に対して上下伸縮移動させるに際し、伸長時及び縮長時のいずれの際にも浮き全体の重量を変化させないことにより全体の浮力を変動させることなくトップ部を伸縮変位させる定浮力維持構造を備えたことを特徴とする釣り用浮き。
【請求項２】
トップ部はトップ本体に縦に連結されたロッド体を含み、トップ本体は常時胴部から突出してロッド体部分が胴部内に収納されるように縮長することを特徴とする請求項１記載の釣り用浮き。
【請求項３】
定浮力維持構造は、上下を開口し胴部内に縦に埋め込みされた小径の収納筒と、
下部側を収納筒内に配置させ該収納筒の上開口から上部に突出する部分にトップ本体を固定させて収納筒内で上下に移動する細径のロッド体と、
ロッド体の収納筒内に配置された部分であって、ロッド体の外周に固着され上下通気可能としつつロッド体の外周と収納筒の内壁との間を上下遮断するように設けられた詰め部材と、を備えたことを特徴とする請求項１または２記載の釣り用浮き。
【請求項４】
詰め部材は、ロッド体の外周と収納筒の内壁との間の断面ドーナツ状の縦長パイプ状空間を上下に分断するように同空間の中間位置においてロッド体に固着された拡大棒部からなる請求項３記載の釣り用浮き。
【請求項５】
拡大棒部はロッド体の上下移動時に収納筒内での芯出し機能を行うことを特徴とする請求項４記載の釣り用浮き。
【請求項６】
収納筒の下開口は弾性体からなる栓部材により閉鎖されており、
さらに、栓部材にはロッド体の縮長時にその下端部を半ロック状に保持する保持機構を備えていることを特徴とする請求項３ないし５のいずれかに記載の釣り用浮き。
【請求項７】
収納筒の上開口にはロッド体の抜け止めアダプタが取り付けられており、
抜け止めアダプタにはロッド体を伸長させた際に同ロッド体の伸長位置で詰め部材と半ロック状に嵌合する嵌合部が設けられていることを特徴とする請求項３ないし６のいずれかに記載の釣り用浮き。
【請求項８】
係合環部は、胴部の下端側から縦に伸びる細身取付杆に取り付けられており、
道糸が直接に通係されて浮きが縦方向に浮力支持された状態で縦長の通係環形状を呈するように形成されていることを特徴とする請求項１ないし７のいずれかに記載の釣り用浮き。
【請求項９】
上部側にトップ部が、中間部に胴部が、下端部に道糸との係合環部が、一体的に組み付けられた縦長棒状の浮きからなり、
係合環部は、胴部の下端側から縦に伸びる細身取付杆に取り付けられており、
道糸が直接に通係されて浮きが縦方向に浮力支持された状態で縦長の通係環形状を呈するように形成されていることを特徴とする釣り用浮き。
【手続補正２】
【補正対象書類名】明細書
【補正対象項目名】０００７
【補正方法】変更
【補正の内容】
【０００７】
上記課題を解決するために本考案は、上部側に細径のロッド体２８を含むトップ部１２が、中間部に胴部１４が、下端部に道糸との係合環部１６が、一体的に組み付けられた縦長棒状の浮きからなり、胴部１４は細径のロッド体２８の下端側を内部に収容した状態でトップ部１２を縦向き上下動可能に支持しつつ任意の伸縮位置でトップ部１４を係止させる縦長の収納筒２２を有し、ロッド体２８を介してトップ部１２全体を胴部１４に対して上下伸縮移動させるに際し、伸長時及び縮長時のいずれの際にも浮き全体の重量を変化させないことにより全体の浮力を変動させることなくトップ部を伸縮変位させる定浮力維持構造２０と、を備えたことを特徴とする釣り用浮き１０から構成される。